(57)【要約】【課題】印刷用版を作製する複数の製版装置に対して紙面データを適切に振り分けて効率的かつ安定的に印刷を行う。【解決手段】印刷用版に記録される紙面画像の情報を含む紙面データ及びその紙面データを特定する紙面管理情報を蓄積し、前記紙面管理情報に基づいて、前記印刷用版を作製する複数の製版装置（３−６）の何れかに前記紙面データを振り分ける製版制御装置（１１）とする。【選択図】    図１
2004322465.tif 000002
【特許請求の範囲】
【請求項１】
印刷用版に記録される紙面画像の情報を含む紙面データ及びその紙面データを特定する紙面管理情報を蓄積する蓄積手段と、前記紙面管理情報に基づいて、前記印刷用版を作製する複数の製版装置の何れかに前記紙面データを振り分ける振分手段とを備える製版制御装置。
【請求項２】
前記紙面データを振り分けた製版装置が使用不可の場合に、前記複数の製版装置の中から代替の製版装置を選択して前記印刷用版の作製を指示することを特徴とする請求項１に記載の製版制御装置。
【請求項３】
前記紙面データがカラー紙面画像のデータを含む場合に、そのカラー紙面画像を構成する色違いの複数の印刷用版の全てを前記代替の製版装置で作製することを特徴とする請求項２に記載の製版制御装置。
【請求項４】
前記紙面管理情報を外部から適宜取得して蓄積し、新たに取得した紙面管理情報が、先に取得された紙面管理情報と同一の紙面データを特定するものである場合に、前記新たに取得した紙面管理情報が特定する紙面データについては、前記複数の製版装置への振り分けを行わずに振り分けが完了したものとみなすことを特徴とする請求項１に記載の製版制御装置。
【請求項５】
前記紙面管理情報は、蓄積された紙面データと新たな紙面データとの差替えを行うための差替え情報を含み、前記紙面データを外部から適宜取得して蓄積し、前記新たな紙面データを所定の時間内に取得した場合のみ前記差替えを行うことを特徴とする請求項１に記載の製版制御装置。
【請求項６】
紙面データを格納する紙面記憶装置と、前記紙面データに基づく紙面画像を記録した印刷用版を作製する複数の製版装置と、前記印刷用版を用いて前記紙面画像を印刷する複数の印刷装置と、前記紙面データを特定する紙面管理情報を作成する紙面管理装置と、前記紙面記憶装置から紙面データを受信して蓄積する一方で前記紙面管理装置から紙面管理情報を受信し、前記紙面データを前記紙面管理情報に基づき前記複数の製版装置の何れかに振り分ける製版制御装置とを備えた印刷システム。
【請求項７】
前記製版制御装置は、前記複数の製版装置に広域通信網を介して接続され、同様に前記複数の製版装置に広域通信網を介して接続された少なくとも１つの代替の製版制御装置を更に備えたことを特徴とする請求項６に記載の印刷システム。
【請求項８】
前記複数の製版装置と前記製版制御装置若しくは前記代替の製版制御装置との前記広域通信網を介した接続において、それぞれ適切な経路の指定を行うルーティング装置を更に備えたことを特徴とする請求項７に記載の印刷システム。
【発明の詳細な説明】
【０００１】
【発明の属する技術分野】
本発明は、印刷用版を作成する製版装置を制御するための製版制御装置及びその製版制御装置を備えた印刷システムに関するものである。
【０００２】
【従来の技術】
近年、印刷分野では、編集・組版を経て作成された紙面データ（紙面の画像情報）に基づく紙面画像をフィルムを介さずに直接印刷版に出力するＣＴＰ（ｃｏｍｐｕｔｅｒ  ｔｏ  ｐｌａｔｅ）方式の出力装置（ＣＴＰ出力装置）を採用した印刷システムが主流となっている。この種の印刷システムとして、装置内に備えたメモリに紙面データを記憶し、所望の紙面データを取出して印刷版上に紙面画像を出力するＣＴＰ出力装置を備えたものが知られている（例えば、特許文献１参照。）。この印刷システムによれば、紙面データを受信してメモリに一旦記憶し、印刷条件に応じて紙面画像を所定の順序で印刷版上に出力することができるという利点がある。
【０００３】
【特許文献１】
特開平６−３３２１９０号公報（第１図）
【０００４】
【発明が解決しようとする課題】
しかし、特に新聞紙面用などの大規模な印刷システムでは、複数のＣＴＰ出力装置及び複数の輪転機（印刷装置）を設ける必要があり、このような場合に、上記ような印刷システムは、紙面データを複数の装置に適切に振り分ける等の機能を備えておらず適切な製版及び印刷が行えないという不都合が生じ得る。
【０００５】
本発明は、このような知見に基づいてなされたものであり、複数の製版装置及び複数の印刷装置を用いて紙面データに基づく紙面画像の印刷を行う場合でも、紙面データを複数の製版装置へ適切に振り分けて効率的かつ安定的に印刷を行うことができる印刷システムを提供することを目的とする。
【０００６】
【課題を解決するための手段】
上記目的を達成するために、本発明は、製版制御装置を、印刷用版に記録される紙面画像の情報を含む紙面データ及びその紙面データを特定する紙面管理情報を蓄積し、紙面管理情報に基づいて、印刷用版を作製する複数の製版装置の何れかに紙面データを振り分ける構成とした。
【０００７】
【発明の実施の形態】
本発明の第１の実施の態様に係る製版制御装置は、印刷用版に記録される紙面画像の情報を含む紙面データ及びその紙面データを特定する紙面管理情報を蓄積する蓄積手段と、紙面管理情報に基づいて、印刷用版を作製する複数の製版装置の何れかに紙面データを振り分ける振分手段とを備える構成とした。これによれば、複数の製版装置及び複数の印刷装置を用いて紙面データに基づく紙面画像の印刷を行う場合に、紙面データを特定する紙面管理情報によって、各製版装置への振り分けが可能となるので、予め定められた印刷スケジュールに従って適切な製版処理を実現し、結果として効率的かつ安定的な印刷処理が達成される。また、印刷スケジュールに従って印刷用版を順次適切に作製可能となるので、特にスケジュール順が比較的遅い紙面データについては、印刷用版の作製までに時間的余裕が確保され、差替え等が生じた場合でも無駄な印刷用版が発生し難いという利点もある。
【０００８】
本発明の第２の実施の態様に係る製版制御装置は、上記第１の実施の態様に係る構成において、紙面データを振り分けた製版装置が使用不可の場合に、複数の製版装置の中から代替の製版装置を選択して印刷用版の作製を指示する構成とした。これによれば、故障などにより製版装置が使用不可となった場合でも、代替の製版装置を用いて印刷用版の作製を行うことができるので、システムの安定性を高めることができる。また、代替の製版装置が存在しない場合には、当該紙面データを印刷スケジュールから外して、オペレータによって適切な印刷用版を作製することも可能である。
【０００９】
本発明の第３の実施の態様に係る製版制御装置は、上記第２の実施の態様に係る構成において、紙面データがカラー紙面画像のデータを含む場合に、そのカラー紙面画像を構成する色違いの複数の印刷用版の全てを代替の製版装置で作製する構成とした。これによれば、複数の印刷用版（通常は、Ｃ（シアン）、Ｙ（イエロー）、Ｍ（マゼンタ）、Ｋ（ブラック）の４色）を必要とするカラー紙面画像の印刷の場合には、それらの印刷用版の全てが同一の製版装置で作製されるので、異なる製版装置で作製する場合に生じ得る色ずれ等の問題を回避することができる。また、カラー紙面画像を構成する複数印刷用版のうちのいくつかが既に標準の製版装置で作製されている場合には、代替の製版装置を用いずに、当該紙面データを印刷スケジュールから外して、オペレータによって適切な印刷用版を作製することも可能である。
【００１０】
本発明の第４の実施の態様に係る製版制御装置は、上記第１の実施の態様に係る構成において、紙面管理情報を外部から適宜取得して蓄積し、新たに取得した紙面管理情報が、先に取得された紙面管理情報と同一の紙面データを特定するものである場合に、新たに取得した紙面管理情報が特定する紙面データについては、複数の製版装置への振り分けを行わずに振り分けが完了したものとみなす構成とした。これによれば、既に印刷用版が作製された紙面データと同一の紙面データについては、再度印刷用版を作製することはなく、無駄な印刷用版の発生を防止することができる。
【００１１】
本発明の第５の実施の態様に係る製版制御装置は、上記第１の実施の態様に係る構成において、紙面管理情報は、蓄積された紙面データと新たな紙面データとの差替えを行うための差替え情報を含み、紙面データを外部から適宜取得して蓄積し、新たな紙面データを所定の時間内に取得した場合のみ差替えを行う構成とした。これによれば、印刷用版の作製前に紙面データの差替えが可能な時間を予め設定しておき、その差替え可能な時間内に差替え用の新たな紙面データを受信した場合には、蓄積された紙面データとの差替えを行って適切な印刷用版の作製を行うことができる。
【００１２】
本発明の第６の実施の態様に係る印刷システムは、紙面データを格納する紙面記憶装置と、紙面データに基づく紙面画像を記録した印刷用版を作製する複数の製版装置と、印刷用版を用いて紙面画像を印刷する複数の印刷装置と、紙面データを特定する紙面管理情報を作成する紙面管理装置と、紙面記憶装置から紙面データを受信して蓄積する一方で紙面管理装置から紙面管理情報を受信し、紙面データを紙面管理情報に基づき複数の製版装置の何れかに振り分ける製版制御装置とを備えた構成とした。これによれば、複数の製版装置及び複数の印刷装置を用いて紙面データに基づく紙面画像の印刷を行う場合に、紙面データを特定する紙面管理情報によって、各製版装置への振り分けが可能となるので、予め定められた印刷スケジュールに従って適切な製版処理を実現し、結果として効率的かつ安定的な印刷処理が達成される。また、印刷スケジュールに従って印刷用版を順次適切に作製可能となるので、特にスケジュール順が比較的遅い紙面データについては、印刷用版の作製までに時間的余裕が確保され、差替え等が生じた場合でも無駄な印刷用版が発生し難いという利点もある。
【００１３】
本発明の第７の実施の態様に係る印刷システムは、上記第６の実施の態様に係る構成において、製版制御装置は、複数の製版装置に広域通信網を介して接続され、同様に複数の製版装置に広域通信網を介して接続された少なくとも１つの代替の製版制御装置を更に備えた構成とした。これによれば、遠隔地から製版装置の制御が可能であり、標準の製版制御装置にトラブルが発生した場合でも、代替の製版制御装置によって同様の制御が可能となるので、システムの安定性を高めることができる。また、１つの製版制御装置によって各拠点に点在する複数の製版装置を制御することも可能である。
【００１４】
本発明の第８の実施の態様に係る印刷システムは、上記第７の実施の態様に係る構成において、複数の製版装置と製版制御装置若しくは代替の製版制御装置との広域通信網を介した接続において、それぞれ適切な経路の指定を行うルーティング装置を更に備えた構成とした。これによれば、広域通信網を介して互いに接続された装置間の通信において、適切な経路を選択可能であるのでシステムの安定性を高めることができる。
【００１５】
以下、本発明の実施の形態について、図面を参照して詳細に説明する。
【００１６】
図１は、本発明による製版制御装置を備えた印刷システムの概略構成を示すブロック図である。この印刷システムは、通常は新聞紙面の印刷を行うものであり、作成済みの紙面データ（ここでは、新聞１頁分の紙面の画像情報）を適宜格納する紙面記憶装置１と、紙面データを特定する紙面ＩＤ（紙面管理情報）を作成する紙面管理装置２と、紙面データに基づく紙面画像を記録した印刷用版を作製する複数のＣＴＰ出力装置（製版装置）７〜１０と、その印刷用版を用いて紙面画像を印刷する複数の輪転機（印刷装置）３〜６と、ＣＴＰ出力装置７〜１０で作製された印刷用版を輪転機３〜６に搬送する搬送機２０と、ＣＴＰ出力装置７〜１０の基本的な動作を制御するＣＴＰコントローラ１３〜１６と、紙面記憶装置１から紙面データを受信して蓄積する一方で紙面管理装置２から紙面ＩＤを受信し、蓄積した紙面データをその紙面ＩＤに基づき複数のＣＴＰ出力装置７〜１０の何れかに振り分けるＣＴＰサーバ（製版制御装置）１１と、各装置に対してオペレータが印刷スケジュールの設定を始めとして各種設定や命令を行うためのパーソナルコンピュータ（ＰＣ）１２とを主として備えている。各装置は、ＬＡＮにより相互に通信可能に接続されており、ここでは、紙面記憶装置１及び紙面管理装置２は遠隔地に配置されており、ゲートウェイ（ＧＷ）１７〜１９を介してＬＡＮに接続される。
【００１７】
図２は、図１に示した印刷システムにおける印刷スケジュールの設定の一例を示す。ここでは、紙面構成の異なる各地域用の版（県版）を印刷するためのスケジュールを示している。オペレータは、県版テーブル２１に表示された複数の印刷候補の県版を各輪転機（ここでは、１号機〜７号機）に優先順位をつけて割当てる。或いは、通常、各県版の印刷の優先順位は日付若しくは曜日単位で概ね同様となるので、予め標準の印刷スケジュールを登録しておき、変更がある場合にのみオペーレータが手動で設定することも可能である。この場合、輪転機の優先順位は、１号機が最も高く、以下、２号機から番号順に優先順位が低くなる。また、スケジュール覧２２は、輪転機１号機及び２号機の各々が、２版静岡、３版山梨、４版神奈川、５版千葉の順で印刷を行うことを示している。
【００１８】
図３は、図１に示した紙面管理装置で作成される紙面ＩＤの一例を示す。紙面ＩＤ３０には、対応する紙面データを特定するために、カラー紙面を構成する色及びモノクロの別を表す色名、発行の日付、朝刊及び夕刊の別を表す紙名、改版数を表す版名、面名、及び頁数等の種々のコードが含まれる。これらのコードは、対応する変換テーブル３１〜３４を用いて各情報が取出される。ここでは、色、日付、紙名、版名、面名、及び頁数の各項目のコードは、紙面ＩＤを桁で区切る、すなわち各項目のコードが始まる紙面ＩＤ内の位置を示す開始桁数と、各項目のコードが全体で何桁あるかを示す総桁数とを指定することで、紙面ＩＤから取り出すことができ、ここでは紙面ＩＤの先頭から１桁目の“Ｃ”から色名「シアン」が求められ、２〜５行目の“０３２４”から「３月２４日」が求められ、６桁目の“１”から紙名「本紙」が求められ、７・８桁目の“０１”から版名「１版」が求められ、１０〜１２桁目の“００２”から面名「２面」が求められ、最終行の２桁の“０１”から「第１頁」が求められる。このような紙面ＩＤ３０は、県版を構成する各頁の紙面データに対応づけて１つの紙面ＩＤが作成されるが、紙面データが属する県版毎に一組の紙面ＩＤとしてまとめて管理される場合もある。
【００１９】
図４は、図３に示した紙面ＩＤの情報に基づき構成された紙面管理テーブルの一例を示す。この紙面管理テーブルは、モノクロ紙面テーブル４１及びカラー紙面テーブル４２から構成され、新聞の見開き２頁分の紙面でそれぞれ対をなす頁が左右に表示されている。モノクロ紙面テーブル４１は、モノクロ紙面及びカラー紙面のＫ（ブラック）のデータから構成され、一方、カラー紙面テーブル４２は、カラー紙面画像のＣ（シアン）、Ｙ（イエロー）、及びＭ（マゼンタ）のデータから構成される。この場合、１、２、３、２３、及び２４頁並びにそれらと対をなす４８、４７、４６、２６、及び２５頁にカラー紙面画像が含まれる。
【００２０】
紙面管理テーブルに示される情報は、紙面ＩＤから得られる情報に加え、その紙面ＩＤが特定する紙面データの処理状況などが含まれる。ここでは、紙面データの情報を示す項目として、前の版で作製した印刷用版をそのまま利用するか（図中“通”）或いは新たに作製するか（図中“替”）を示す「変更」、「頁」、「版数」、「面名」、モノクロ紙面（図中、表示なし）、カラー紙面画像のＫ（図中“親”）、又はカラー紙面画像のＣ、Ｍ、Ｙ（図中“多”）の別を示す「色」、紙面データの差替え（一般に差替えの必要性の度合いによって「追いかけ」、「取り直し」などと称される）の必要（図中“１”）を示す「追」及び「取」、サイズが標準（２頁大）と異なる１頁大のいわゆるペラ紙であること（図中“Ｓ”）を示す「Ｓ」、ＣＴＰサーバ１１が紙面記憶装置１から紙面ＩＤが特定する紙面データを受信した時間を示す「受信」、並びに紙面データについて、データ受信待ち（図中“未受”）、製版中（図中“処理”）、印刷待ち（図中“出待”）、印刷完了（図中“完了”）の別を示す「状態」が表示されている。
【００２１】
次に、上記のように構成された本発明の製版制御装置を備えた印刷システムの動作について説明する。
【００２２】
図５及び図６は、本発明の印刷システムの処理の手順を示すフロー図である。まず、ＣＴＰサーバ１１は、印刷予定の当日分の夕刊と翌日分の朝刊の各県版に属する標準的な紙面ＩＤを事前に取得する（ＳＴ１０１）。次に、オペレータが、印刷スケジュールに出力予定の県版を登録する（ＳＴ１０２）。そこで、印刷スケジュールに登録された県版に属する紙面ＩＤを全て受信済か否かを判定し（ＳＴ１０３）、不足がある場合には、不足分の紙面ＩＤを受信する（ＳＴ１０４）。詳細は後述するが、登録された県版に属する紙面ＩＤが全て揃うと、出力のための県版の登録がなされる（ＳＴ１０５）。
【００２３】
次に、ＣＴＰサーバ１１は、設定された印刷スケジュールに従って、出力用の紙面データを受信する（ＳＴ１０６）。そこで、その紙面データが、既に蓄積済みの紙面データと同一か否かが判定され（ＳＴ１０７）、同一の場合には出力処理を行わずに未処理紙面データとしてそのまま蓄積され（ＳＴ２０１）、次の紙面データを受信するためＳＴ１０６に戻る。尚、未処理紙面データは、後にオペレータによって適宜確認され、必要な場合には適当な処理が実行される。
【００２４】
一方、蓄積済みの紙面データと異なる場合は、現在のスケジュールに登録されている紙面データか否かが判定される（ＳＴ１０８）。ここで、現在出力中ではないと判定された場合には、差替え用の紙面データ（追いかけ若しくは取り直しの紙面データ）の可能性がある。そこで、現在のスケジュールよりも前の紙面データか否かが判定される（ＳＴ１０９）。前のスケジュールの紙面データである場合には、差替え用の紙面データであるか否かが判定される（ＳＴ１１０）。更に、差替用の紙面データである場合には、現在の時間が予め設定した時間内か否かが判定される（ＳＴ１１１）。ここで、ＳＴ１０９〜ＳＴ１１１の条件を満たさない場合には、紙面データはそのまま蓄積され（ＳＴ２０１）、次の紙面データを受信するためＳＴ１０６に戻る。
【００２５】
ＳＴ１０８において現在出力中の紙面データであると判定された場合並びにＳＴ１１１において設定時間内であると判定された場合は、紙面ＩＤに基づいて紙面データの輪転機１での出力の可否の判定を行う（ＳＴ１１２）。詳細は後述するが、紙面データが輪転機１で出力可能である場合は、出力処理を実行する（ＳＴ１１３）。このＳＴ１１２及びＳＴ１１３と同様の動作が、続く輪転機２（ＳＴ２０２、ＳＴ２０３）及びそれ以降の輪転機でも実行される。最終的に、最後の輪転機Ｎでの出力の可否が判定され（ＳＴ２０４）、紙面データを輪転機Ｎで出力しない場合は、そのまま蓄積され（ＳＴ２０１）、次の紙面データを受信するためＳＴ１０６に戻る。一方、紙面データが輪転機Ｎで出力可能である場合は、出力を実行する（ＳＴ２０５）。
【００２６】
そこで、印刷スケジュールに登録された一の県版に属する全ての紙面データが出力されたか否かが判定され（ＳＴ２０６）、未出力の紙面データがある場合には、次の紙面データを受信するためＳＴ１０６に戻る。一方、全ての紙面データの出力が完了すると、印刷スケジュールに登録された次の県版が存在するか否かが判定され（ＳＴ２０７）、次の県版が存在する場合には、次のスケジュールの県版へ移行する（ＳＴ２０８）。次に、既に蓄積済みの紙面データが存在するか否かが判定され（ＳＴ２０９）、蓄積済みの紙面データが存在する場合には、出力処理を行うためにＳＴ１１２に戻り、一方、蓄積済みの紙面データが存在しない場合には、紙面データを受信するためＳＴ１０６に戻り、それぞれ前述と同様に各ステップが実行される。最終的に、ＳＴ２０７において印刷スケジュールに登録された全ての県版が終了したと判定された場合には印刷処理が終了する。
【００２７】
図７は、図６に示す出力県版の登録の処理の手順を示すフロー図である。登録処理が開始されると、まず、輪転機１号機について、印刷スケジュールで優先順位が最も高い県版に属する紙面ＩＤの情報が紙面管理テーブルに入力され、その紙面ＩＤが出力用として登録される（ＳＴ３０１）。更に、印刷スケジュールに次の県版が登録されているか否かが判定され（ＳＴ３０２）、次の県版が登録されている場合には、その県版に属する紙面ＩＤの情報が紙面管理テーブルに入力される（ＳＴ３０３）。
【００２８】
そこで、紙面ＩＤが前の印刷スケジュールで既に登録済みの紙面ＩＤと同一か否かが判定され（ＳＴ３０４）、既に登録済みの紙面ＩＤと同一であれば、その紙面ＩＤは出力しない紙面ＩＤとして登録される（ＳＴ３０５）。一方、登録済みの紙面ＩＤと異なる場合は、その紙面ＩＤは出力用の紙面ＩＤとして登録される（ＳＴ３０６）。次に、県版に属する全ての紙面ＩＤの出力の登録が完了したか否かが判定され（ＳＴ３０７）、登録が完了するまでＳＴ３０４〜ＳＴ３０６の登録処理が繰り返し実行される。全ての登録が完了すると、再びＳＴ３０２に戻り、輪転機１号機で印刷予定の全ての県版についての登録処理が完了するまで、ＳＴ３０３〜ＳＴ３０７が繰り返し実行される。
【００２９】
ＳＴ３０２において輪転機１号機で印刷予定の県版について全て登録済みと判定されると、次の輪転機が使用されるか否かが判定される（ＳＴ３０８）。そこで、次の輪転機が存在する場合には、ＳＴ３０１に戻り、前述と同様に各ステップが実行される。最終的に、ＳＴ３０８において次の輪転機が存在しないと判定されると、登録処理は終了する。
【００３０】
図８は、図６に示す輪転機の出力処理の手順を示すフロー図である。出力処理が開始されると、まず、紙面データが印刷される輪転機に適合する標準のＣＴＰ出力装置が正常であるか否かが判定される（ＳＴ４０１）。そこで、標準のＣＴＰ出力装置が正常である場合には、そのＣＴＰ出力装置によって印刷用版が作製され、通常の印刷が実行される（ＳＴ４０２）。
【００３１】
一方、標準のＣＴＰ出力装置が故障等により使用できない場合には、代替のＣＴＰ出力装置が存在するか否かが判定される（ＳＴ４０３）。そこで、代替のＣＴＰ出力装置が存在しない場合には、出力処理は行われずに終了するが、代替のＣＴＰ出力装置が存在する場合には、紙面データがカラー紙面画像のデータを含むか否かが判定される（ＳＴ４０４）。
【００３２】
ここで、紙面データがモノクロ紙面で構成される場合には、そのまま代替のＣＴＰ出力装置で印刷用版が作製され、印刷が実行される（ＳＴ４０５）。一方、紙面データがカラー紙面画像のデータを含む場合には、同一のカラー紙面画像を構成する色違いの一連の複数の印刷用版が異なるＣＴＰ出力装置で作製されると、それらの相互の記録精度の違いなどに起因して色ずれが発生するおそれがあるので、それらの印刷用版を同一のＣＴＰ出力装置で作製することが望ましい。
【００３３】
そこで、カラー紙面画像を含む場合には、標準のＣＴＰ出力装置において既に作製済みの印刷用版が存在するか否かが判定される（ＳＴ４０６）。作製済みの印刷用版が存在しない場合には、一連の複数の印刷用版を代替のＣＴＰ出力装置において全て作製することになるので、そのまま印刷用版の作製が行われ、印刷が実行される（ＳＴ４０７）。一方、標準のＣＴＰ出力装置において一部の印刷用版が既に印刷されている場合には、既に印刷済みのものを含めて代替のＣＴＰ出力装置で全ての印刷用版を作製するか否かが判定され（ＳＴ４０８）、全ての出力を行う場合には、代替のＣＴＰ出力装置において印刷用版の作製が行われ、印刷が実行される（ＳＴ４０９）。
【００３４】
図９は、本発明による別の印刷システムの概略構成を示すブロック図である。この印刷システムは、図１に示す印刷システムと基本的に同様の装置構成であるが、構内でＬＡＮで接続されていたＣＴＰサーバが遠隔地に配置されている点において異なる。図９に示すように、製作拠点１には、ＣＴＰサーバ５１１が備えられ、製作拠点２及び３も同様の装置を備える。一方、印刷拠点１には、ＣＴＰコントローラ５１３、ＣＴＰ出力装置５１７、及びＰＣ５１２が備えられ、印刷拠点２及び３も同様の装置を備える。互いに遠隔に配置された製作拠点１〜３及び印刷拠点１〜３は、それぞれ広域通信網５１５を介して接続されており、ここで、一の製作拠点のＣＴＰサーバは他の製作拠点の代替のＣＴＰサーバとして機能し得るものであり、また、一の製作拠点のＣＴＰサーバで複数の印刷拠点の印刷処理を制御するこも可能である。各拠点の接続部には、広域通信網５１５を介した接続において適切な経路の指定を行うルーティング装置としてＬ３（レイヤ３）スイッチ５２０，５２１が設けられている。尚、説明の便宜上、紙面記憶装置、紙面管理装置、及び輪転機について図示していないが、図１の印刷システムの場合と同様である。また、図１の印刷システムと同様に、各印刷拠点には、複数のＣＴＰコントローラ及びＣＴＰ出力装置を配置することが可能である。
【００３５】
【発明の効果】
このように本発明によれば、これによれば、複数の製版装置及び複数の印刷装置を用いて紙面データに基づく紙面画像の印刷を行う場合に、紙面データを特定する紙面管理情報によって、各製版装置への振り分けが可能となるので、予め定められた印刷スケジュールに従って適切な製版処理を実現し、結果として効率的かつ安定的な印刷処理が達成される。また、印刷スケジュールに従って印刷用版を順次適切に作製可能となるので、特にスケジュール順が比較的遅い紙面データについては、印刷用版の作製までに時間的余裕が確保され、差替え等が生じた場合でも無駄な印刷用版が発生し難いという利点もある。
【図面の簡単な説明】
【図１】本発明による製版制御装置を備えた印刷システムの概略構成を示すブロック図
【図２】印刷スケジュールの設定の一例を示す図
【図３】紙面管理装置で作成される紙面ＩＤの一例を示す図
【図４】紙面ＩＤの情報に基づき構成された紙面管理テーブルの一例を示す図
【図５】本発明の印刷システムの処理の手順を示すフロー図
【図６】本発明の印刷システムの処理の手順を示すフロー図
【図７】図６に示す出力県版の登録の処理の手順を示すフロー図
【図８】図６に示す輪転機の出力処理の手順を示すフロー図
【図９】本発明による別の印刷システムの概略構成を示すブロック図
【符号の説明】
１  紙面記憶装置
２  紙面管理装置
３−６  輪転機
７−１０  ＣＴＰ出力装置
１２  ＰＣ
１３−１６  ＣＴＰコントローラ
【図１】
2004322465.tif 000003
【図２】
2004322465.tif 000004
【図３】
2004322465.tif 000005
【図４】
2004322465.tif 000006
【図５】
2004322465.tif 000007
【図６】
2004322465.tif 000008
【図７】
2004322465.tif 000009
【図８】
2004322465.tif 000010
【図９】
2004322465.tif 000011